(57)【要約】      （修正有）【課題】ケーブルの抜けを抑止可能なホットシューアダプタを提供する。【解決手段】カメラ１に装着可能なホットシューアダプタ２であって、ケーブル４を接続する為のコネクタ６が形成された側面に設けられた鈎部材７を具備し、鈎部材は側面の底辺から突出すると共に湾曲しつつ上方に立上がるホルダ部を有し、ホルダ部はコネクタに接続されたケーブルの雄コネクタ１２を保持する様構成された。【選択図】図１
2020106662.tif 000002
【特許請求の範囲】
【請求項１】
カメラに装着可能なホットシューアダプタであって、ケーブルを接続する為のコネクタが形成された側面に設けられた鈎部材を具備し、該鈎部材は前記側面の底辺から突出すると共に湾曲しつつ上方に立上がるホルダ部を有し、該ホルダ部は前記コネクタに接続された前記ケーブルの雄コネクタを保持する様構成されたホットシューアダプタ。
【請求項２】
前記鈎部材は、前記ホルダ部から前記側面と平行に延出する案内部と、該案内部の前記側面と対峙する面に、前記案内部の先端部から基部に向ってテーパ状に隆起し、テーパの終端で鋭角に立下がる回り止とを更に有し、該回り止は、前記雄コネクタのネック部を回転させた際の回転経路内に突出する様構成した請求項１に記載のホットシューアダプタ。
【請求項３】
前記ホルダ部は、上方に立上がりつつ前記側面に向って更に湾曲し、前記ホルダ部の先端に回り止が形成され、該回り止は、前記雄コネクタのネック部を回転させた際の回転経路内に突出する様構成した請求項１に記載のホットシューアダプタ。
【請求項４】
前記鈎部材を挾んで前記側面と隣接する側面に形成され、該隣接する側面の下端より下方に延出する誤挿入防止片を更に具備する請求項１〜請求項３のうちのいずれか１項に記載のホットシューアダプタ。
【発明の詳細な説明】
【技術分野】
【０００１】
本発明は、カメラのホットシューに装着されるホットシューアダプタに関するものである。
【背景技術】
【０００２】
デジタルカメラの発展、普及に伴い、高精度の画像データを容易に且つ大量に取得可能となっている。更に、画像データの利用が進み、例えば、無人移動体にカメラを搭載し、連続画像を取得し、広範囲に亘る写真測量を行う場合、レーザスキャナで取得した点群データと画像との関連付けを行う場合等、画像データの利用が促進されている。
【０００３】
遠隔操作でデジタルカメラによる写真撮影を行う場合、デジタルカメラにシャッタ駆動信号を入力し、更にカメラが実際に画像を取得した際のシャッタタイミング信号を抽出する信号入力用のホットシューアダプタがホットシューに装着される。
【０００４】
信号入力用のホットシューアダプタとしては、市販のホットシューアダプタが使用可能である。この場合、デジタルカメラの撮影を制御する制御装置と、ホットシューアダプタとの連結は市販のケーブルが用いられ、このケーブルを介して信号の授受が行われている。
【０００５】
市販のケーブルには、ホットシューアダプタと連結可能なコネクタが装備されている。ケーブルとホットシューアダプタとの接続は、ケーブルのコネクタをホットシューアダプタのコネクタに挿入することで可能となっている。
【０００６】
一方、カメラが搭載される移動体としては、ＵＡＶ（無人飛行体）、自動車、建設機械、農業機械等が挙げられる。これらの移動体は、移動や作業に伴い種々の振動を発する。この為、ケーブルのコネクタがホットシューアダプタのコネクタから外れる場合が発生する。
【０００７】
ホットシューアダプタから抽出されたシャッタタイミング信号は、画像取得時間、画像取得時の位置情報等と関連付けられ、画像取得位置を特定する為の重要な信号となっている。
【０００８】
この為、ケーブルのコネクタがホットシューアダプタのコネクタから外れた場合には、画像の取得位置が特定できず、取得した画像データ、及び関連するデータが無駄になってしまう。
【発明の概要】
【発明が解決しようとする課題】
【０００９】
本発明は、ケーブルの抜けを抑止可能なホットシューアダプタを提供するものである。
【課題を解決するための手段】
【００１０】
本発明は、カメラに装着可能なホットシューアダプタであって、ケーブルを接続する為のコネクタが形成された側面に設けられた鈎部材を具備し、該鈎部材は前記側面の底辺から突出すると共に湾曲しつつ上方に立上がるホルダ部を有し、該ホルダ部は前記コネクタに接続された前記ケーブルの雄コネクタを保持する様構成されたホットシューアダプタに係るものである。
【００１１】
又本発明は、前記鈎部材は、前記ホルダ部から前記側面と平行に延出する案内部と、該案内部の前記側面と対峙する面に、前記案内部の先端部から基部に向ってテーパ状に隆起し、テーパの終端で鋭角に立下がる回り止とを更に有し、該回り止は、前記雄コネクタのネック部を回転させた際の回転経路内に突出する様構成したホットシューアダプタに係るものである。
【００１２】
又本発明は、前記ホルダ部は、上方に立上がりつつ前記側面に向って更に湾曲し、前記ホルダ部の先端に回り止が形成され、該回り止は、前記雄コネクタのネック部を回転させた際の回転経路内に突出する様構成したホットシューアダプタに係るものである。
【００１３】
更に又本発明は、前記鈎部材を挾んで前記側面と隣接する側面に形成され、該隣接する側面の下端より下方に延出する誤挿入防止片を更に具備するホットシューアダプタに係るものである。
【発明の効果】
【００１４】
本発明によれば、カメラに装着可能なホットシューアダプタであって、ケーブルを接続する為のコネクタが形成された側面に設けられた鈎部材を具備し、該鈎部材は前記側面の底辺から突出すると共に湾曲しつつ上方に立上がるホルダ部を有し、該ホルダ部は前記コネクタに接続された前記ケーブルの雄コネクタを保持する様構成されたので、該雄コネクタの軸心方向の変位が前記鈎部材によって抑止され、前記雄コネクタが前記コネクタから外れるのを抑止することができるという優れた効果を発揮する。
【図面の簡単な説明】
【００１５】
【図１】本発明の第１の実施例に係るホットシューアダプタが装着されたカメラの斜視図である。
【図２】（Ａ）は前記ホットシューアダプタの上面斜視図であり、（Ｂ）は前記ホットシューアダプタの下面斜視図である。
【図３】（Ａ）は図２（Ａ）のＡ矢視図であり、（Ｂ）は図２（Ａ）のＢ矢視図である。
【図４】（Ａ）は図２（Ａ）のＣ矢視図であり、（Ｂ）は図２（Ａ）のＤ矢視図である。
【図５】前記ホットシューアダプタに対するケーブルの装着を説明する説明図である。
【図６】前記ホットシューアダプタに対するケーブルの装着を説明する説明図である。
【図７】本発明の第２の実施例に係るホットシューアダプタに対するケーブルの装着を説明する説明図である。
【発明を実施するための形態】
【００１６】
以下、図面を参照しつつ本発明の実施例を説明する。
【００１７】
先ず、本発明の第１の実施例について説明する。図１は、カメラ１にホットシューアダプタ２が装着された状態を示している。尚、図１に於いて、前記カメラ１のレンズ側を前面とする。
【００１８】
又、該カメラ１には、該カメラ１の位置測定用のプリズム３が設けられている。更に、前記ホットシューアダプタ２にはケーブル４が接続されている。
【００１９】
前記ホットシューアダプタ２は、ホットシュー５に装着された時に、該ホットシュー５に設けられた接点（図示せず）と接続可能な接点（後述）を有している。又、前記ホットシューアダプタ２の側面には、入出力用のコネクタ６を有している。更に、該コネクタ６が形成された側面には、前記ケーブル４の抜けを抑制する為の鈎部材７が設けられている。
【００２０】
前記ホットシューアダプタ２について、図２〜図４を参照して更に説明する。
【００２１】
該ホットシューアダプタ２は、所要の弾性を有する合成樹脂製のケースに、信号入出力用のインターフェースユニットが一体に内蔵された構成となっている。前記ホットシューアダプタ２の裏面２ａには、嵌合舌片８が形成されている。該嵌合舌片８は、前記ホットシューアダプタ２の裏面２ａと平行な板状の嵌合部８ａと、該嵌合部８ａを前記裏面２ａから所定の間隔を空けて支持する支持部８ｂから構成され、前記嵌合部８ａと前記支持部８ｂとは一体に成形されている。尚、該支持部８ｂの長手方向中央部には、１対のバネ板８ｃが設けられ、該バネ板８ｃは接地用の接点であると共に、左右方向に（前記支持部８ｂから離反する方向に）付勢されている。又、前記嵌合部８ａの中央には、前記ホットシュー５の接点（図示せず）と接続可能な接点９が設けられている。尚、該接点９は、下方に（前記嵌合部８ａから離反する方向に）付勢されたプランジャ構造となっている。
【００２２】
前記裏面２ａと前記嵌合部８ａとは嵌合溝を形成し、嵌合溝の間隙は、前記ホットシュー５の厚みよりも僅かに大きくなっている。又、前記嵌合部８ａの厚みは、該嵌合部８ａを前記ホットシュー５と前記カメラ１との間に形成された装着溝と嵌合できる大きさとなっている。更に、前記支持部８ｂの幅は、左右の前記ホットシュー５間の間隔よりも僅かに小さくなっている。前記嵌合部８ａを前記装着溝に嵌合させた際には、前記接点９が常にテンションをかけ、上下方向を密着状態にすると共に、前記バネ板８ｃが同時に左右方向にテンションをかけ、左右方向を密着状態にしている。
【００２３】
又、前記ホットシューアダプタ２には、側面の下端から下方に延出する誤挿入防止片１１が設けられている。該誤挿入防止片１１が設けられる位置は、前記鈎部材７を挾んで前記コネクタ６が設けられた側面２ｂと隣接する側面であり、前記支持部８ｂの長手方向と交差する側面となっている。
【００２４】
前記誤挿入防止片１１が設けられることで、前記ホットシューアダプタ２の装着方向が限定され、該ホットシューアダプタ２が誤った方向から前記カメラ１に装着されるのを防止することができる。尚、前記ホットシューアダプタ２は前記嵌合舌片８を前記ホットシュー５の奥まで挿入することにより位置決めされる。前記誤挿入防止片１１では位置決めされない。
【００２５】
又、前記鈎部材７は、前記誤挿入防止片１１が設けられた側面と前記コネクタ６が設けられた前記側面２ｂとが交差する角の下部（底辺）から水平に突出し、湾曲しつつ上方に立上がり、更に前記側面２ｂと平行に水平に延出する形状を有している。
【００２６】
前記鈎部材７の水平に突出する部分、湾曲部、立上がり部は、前記ケーブル４の雄コネクタ１２を保持するホルダ部７ａを構成する。
【００２７】
又、前記鈎部材７の水平に延出する部分は、棒形状を有し、前記ケーブル４を連結する際の案内部７ｂを構成する。該案内部７ｂの前記ホットシューアダプタ２の側面と対峙する面（内面）には、回り止７ｃが形成されている。該回り止７ｃは、前記案内部７ｂの先端部から基部に向ってテーパ状に隆起し、テーパの終端で鋭角（直角を含む）に立下がる形状を有している。尚、前記回り止７ｃは、前記雄コネクタ１２を前記ホットシューアダプタ２に接続し、前記雄コネクタ１２のネック部１３を回転させた際の回転経路内に突出している。
【００２８】
又、図１に見られる様に、前記鈎部材７は、前記ケーブル４の前記雄コネクタ１２を前記コネクタ６に挿脱する際に、前記雄コネクタ１２と干渉しない様に、該雄コネクタ１２の挿脱経路から外れた形状をしている。
【００２９】
次に、図５、図６を参照して、本実施例の作用について説明する。
【００３０】
図５、図６は、前記ホットシューアダプタ２を前記カメラ１から外した状態を示しているが、該カメラ１に装着した状態でも同様に実施可能である。
【００３１】
前記雄コネクタ１２を前記コネクタ６に挿入し、完全に挿入された状態で、前記雄コネクタ１２を図６中、時計回り方向に回転させる。該雄コネクタ１２の回転により、前記雄コネクタ１２のネック部１３が前記鈎部材７を撓ませつつ、前記ホットシューアダプタ２と前記鈎部材７との間に進入する。前記雄コネクタ１２は前記鈎部材７に案内され、更に回り止７ｃを乗越え、前記ネック部１３が前記ホルダ部７ａに保持される。又、前記ネック部１３が前記ホルダ部７ａから外れた場合に、前記回り止７ｃは前記ネック部１３が前記案内部７ｂから外れない様にしている。  
【００３２】
尚、該ホルダ部７ａの内寸を前記ネック部１３の外寸よりも若干小さくし、前記鈎部材７の弾性で前記ネック部１３に保持力を与える様にしてもよい。
【００３３】
前記ケーブル４を接続した状態では、前記雄コネクタ１２の軸心方向の変位（該雄コネクタ１２が前記コネクタ６から外れる方向の変位）は、前記鈎部材７により抑止される。又、前記雄コネクタ１２の反時計回り方向の変位は、前記回り止７ｃによって抑止され、前記雄コネクタ１２が前記ホルダ部７ａに保持された状態が維持される。
【００３４】
従って、前記ホットシューアダプタ２に振動が作用した場合であっても、前記ケーブル４が前記ホットシューアダプタ２から外れるのを防止することができる。
【００３５】
又、前記誤挿入防止片１１により、前記ホットシューアダプタ２を前記カメラ１に装着する際の装着方向が限定されるので、装着方向を誤ることがなく、作業性を向上させることができる。
【００３６】
又、前記ケーブル４の前記ネック部１３が前記ホルダ部７ａに保持された状態では、前記ケーブル４は必ず前記プリズム３とは反対方向に延出する。従って、ＵＡＶ等の移動体に前記カメラ１が搭載された際には、撮像方向に前記ケーブル４が延出し、撮像の妨げになるのを防止することができる。
【００３７】
図７は、本発明の第２の実施例を示している。尚、図７中、図５中と同等のものには同符号を付し、その説明を省略する。
【００３８】
第２の実施例では、第１の実施例に於ける鈎部材７（図５参照）に代えて、鈎部材１４を形成している。
【００３９】
該鈎部材１４は、コネクタ６が設けられた側面２ｂであって、該側面２ｂの底辺から底面と平行に突出し、上方に立上がりつつ前記側面２ｂに向って湾曲し、更に上方に延出する形状を有している。
【００４０】
前記鈎部材１４の突出する部分、前記側面２ｂに向って湾曲する部分は、ケーブル４の雄コネクタ１２のネック部１３を保持するホルダ部１４ａを構成する。
【００４１】
又、前記鈎部材１４の前記ホルダ部１４ａから上方に突起する部分は、回り止１４ｃとなっている。該回り止１４ｃは、前記側面２ｂと対峙する面が面取りされ、該対峙する面は前記側面２ｂから離反する様傾斜している。即ち、前記回り止１４ｃは、先端部から基部に向ってテーパ状に隆起し、テーパの終端で鋭角（直角を含む）に立ち下がる形状を有している。尚、前記回り止１４ｃは、前記雄コネクタ１２を前記ホットシューアダプタ２に接続し、前記ネック部１３を回転させた際の回転経路内に突出している。
【００４２】
前記ケーブル４のホットシューアダプタ２への接続は、第１の実施例と同様に、前記雄コネクタ１２を前記コネクタ６に挿入し、更に前記雄コネクタ１２を時計回り方向に回転させる。該雄コネクタ１２を回転させることで、前記ネック部１３が前記鈎部材１４を撓ませつつ、前記ホットシューアダプタ２と前記鈎部材１４との間に進入し前記ネック部１３は前記回り止１４ｃを乗越え、前記ホルダ部１４ａに保持される。
【００４３】
第２の実施例に於いても、前記ケーブル４を接続した状態では、前記雄コネクタ１２の軸心方向の変位が前記鈎部材１４によって抑止され、反時計回り方向の変位は前記回り止１４ｃによって抑止される。従って、前記ホットシューアダプタ２に振動が作用した場合であっても、前記ケーブル４が前記ホットシューアダプタ２から外れるのを防止することができる。
【符号の説明】
【００４４】
１              カメラ
２              ホットシューアダプタ
４              ケーブル
６              コネクタ
７              鈎部材
１１            誤挿入防止片
１２            雄コネクタ
１３            ネック部
１４            鈎部材
【図１】
2020106662.tif 000003
【図２】
2020106662.tif 000004
【図３】
2020106662.tif 000005
【図４】
2020106662.tif 000006
【図５】
2020106662.tif 000007
【図６】
2020106662.tif 000008
【図７】
2020106662.tif 000009